(57)【特許請求の範囲】
【請求項１】
発泡プラスチック、軽量ボード等の断熱ボードと、この断熱ボードの上に下地モルタルを添加した後、この断熱ボードの周辺部より内側に位置した合成樹脂、金網等で構成するメッシュを添着し、このメッシュの上に表面モルタルを添加し、この断熱ボード、下地モルタル、及びメッシュ、表面モルタルでなる四層構造の建築下地素材を、圧延ロールを介して圧縮し、前記下地モルタル、又は表面モルタルを所定の厚みに圧縮し、薄地のモルタル層とするとともに、この薄地のモルタル層の上面に前記メッシュが位置するように構成した外断熱壁材、又は床材等の建築下地材の製造方法。
【請求項２】
請求項１に記載された外断熱壁材、又は床材等の建築下地材であって、
この建築下地材の薄地のモルタル層の上面に設けられたメッシュの周辺部は、前記発泡プラスチック、軽量ボード等の断熱ボードの周辺部より内側に位置し、この両周辺部間に前記薄地のモルタル層を露出して設け、このメッシュと薄地のモルタル層により当該建築下地材の表面が形成されている構成とした外断熱壁材、又は床材等の建築下地材。
【請求項３】
請求項１に記載された薄地のモルタル層は、樹脂モルタル材料で構成した外断熱壁材、又は床材等の建築下地材。
【請求項４】
請求項１に記載されたメッシュは、グラスファイバー材料で構成した外断熱壁材、又は床材等の建築下地材。
【請求項５】
発泡プラスチック、軽量ボード等の断熱ボードと、この断熱ボードに設けた薄地のモルタル層と、この薄地のモルタル層に設けたメッシュとでなる建築下地材において、
このメッシュの周辺部は、この断熱ボードの周辺部より内側に位置し、この両周辺部間に前記薄地のモルタル層を露出して設け、このメッシュと薄地のモルタル層により当該建築下地材の表面を形成した構成であって、
この構成の建築下地材を、建屋の壁面に隣接して設け、この際、当該隣接した建築下地材の目地に、目地用メッシュを設け、少なくとも前記露出した薄地のモルタル層を隠蔽し、前記建屋の全体をメッシュで隠蔽し、
この隠蔽した建屋のメッシュの上に、上塗り塗装して、当該建屋の外壁を構築する構成とした外壁の構築工法。
【請求項６】
請求項５に記載の上塗り塗装用の上塗り材は、接着性、弾性に優れたポリマーベースの塗材とする構成とした外壁の構築工法。
【請求項７】
発泡プラスチック、軽量ボード等の断熱ボードと、この断熱ボードに設けた薄地のモルタル層と、この薄地のモルタル層に設けたメッシュとでなる建築下地材において、
このメッシュの周辺部は、この断熱ボードの周辺部より内側に位置し、この両周辺部間に前記薄地のモルタル層を露出して設け、このメッシュと薄地のモルタル層により当該建築下地材の表面を形成した構成であって、
この構成の建築下地材を、建屋の屋外床面に隣接して設け、この際、当該隣接した建築下地材の目地に、コーキング材を充填し、必要により目地用メッシュを設け、少なくとも前記露出した薄地のモルタル層を隠蔽し、
この屋外床のメッシュの上に、表面部材を施工する構成とした屋外床面の構築工法。
【発明の詳細な説明】
【０００１】
【産業上の利用分野】
本発明は、外断熱壁材、又は床材（屋外床、室内床）等の建築下地材の製造方法と、この方法で製造される外断熱壁材、又は床材等の建築下地材、並びに外壁の構築工法、又は屋外床面の構築工法に関する。
【０００２】
【従来の技術】
従来、この種の外断熱壁材としては、特開平７−３３１７６１号の断熱成形板及びその施工法がある（文献（１）とする）。その内容は、断熱材と粗布と表面材とを積層一体化した板状成形物で、断熱材の側端面より粗布がはみ出している断熱成形板と、この断熱成形板を施工する際に、板状成形物を、下地面に接着剤により貼付けるとともに、その目地部に、はみ出し粗布部分を配置して接着剤により貼付け、このはみ出し粗布部分に、必要に応じて化粧仕上材を塗布する施工法である。この発明は、施工が容易で、施工後の接合目地部の強度が優れていることを特徴とする。また実用新案登録第３０１３３０５号の施工用発泡樹脂ボードがある（文献（２）とする）。この考案は、発泡樹脂からなる施工用ボードと、ラスとで構成し、このラスが発泡樹脂の表面に一体的に融着された構造である。この考案は、ラスの耐剥離効果が確保できること、また施工用ボード自体の強度の向上が図れること、又は発泡樹脂の断熱・防水等の特性により、別途断熱材、防水シート等の付設をなくし得ることで、作業効率の向上等が図れること等の特徴がある。
また従来施工されている、断熱外壁工法は、通常、外壁面に防水シートを張装し、発泡ボードを接着又はビス止め等を介して取付け、その後、メッシュを同様な方法で貼付ける。そして、施工壁地（発泡ボードとメッシュの表面）及び目地部にモルタルを塗布した後に、目地部にメッシュを同様にして取付ける。そして、余分のモルタルを除去して、略１日程度養生する。この養生後に上塗り材を塗布する工法である。
【０００３】
【発明が解決しようとする課題】
前記文献（１）は、断熱材と粗布と表面材とを積層一体化した板状成形物で、断熱材の側端面より粗布がはみ出している構成である。しかし、このはみ出している粗布は、板状成形物を製造する際に邪魔となり、成形に難渋すること、また施工に際しては、板状成形物からの粗布の剥離に技術と、手間を要すること、等の課題が考えられる。そして、このはみ出し粗布が四周辺方向では、前述の課題はことのほか大変である。また文献（２）は、発泡樹脂とラス及びモルタル外壁材との組合せの施工用発泡樹脂ボードである。しかし、この考案は、モルタル層を有する構造である。従って、本発明が意図する軽量で、施工の容易な建築下地材とは、内容的に異なる。また本発明が意図する特徴は達成できない問題点がある。
【０００４】
尚、前述した従来の断熱外壁工法は、何れも左官職人等の職人による施工であり、左官職人の手当ての困難性、コストの上昇、施工期間の拡大、又は手間を要すること、等の課題を抱えている。そして問題となるのが、目地部のラスの取付け（張装）、モルタルの塗布等である。この作業が大変であること、熟練を要すること、等の課題があり、早急な解決が望まれているとともに、市場性の拡充に障害となっていることが判明した。
【０００５】
【課題を解決するための手段】
請求項１の発明は、左官職人による施工を要さず、素人でも施工できる建築下地材の製造方法の提供と、殊に目地部の施工が簡便で、手間、熟練と時間を要せず行える建築下地材の製造方法の提供とを意図する。また（建屋）の目地部からの亀裂、雨水の浸入、断熱効果の拡充が図れる建築下地材を、確実、精度よく製造すること、又は簡便に製造すること、等を意図して建築下地材の製造方法を提供する。さらに衝撃に役立つ物を提供する。またベランダ、ルーフバルコニー等の屋外床の下地材として役立つ建築下地材を提供する。
【０００６】
請求項１は、発泡プラスチック、軽量ボード等の断熱ボードと、この断熱ボードの上に下地モルタルを添加した後、この断熱ボードの周辺部より内側に位置した合成樹脂、金網等で構成するメッシュを添着し、このメッシュの上に表面モルタルを添加し、この断熱ボード、下地モルタル、及びメッシュ、表面モルタルでなる四層構造の建築下地素材を、圧延ロールを介して圧縮し、前記下地モルタル、又は表面モルタルを所定の厚みに圧縮し、薄地のモルタル層とするとともに、この薄地のモルタル層の上面に前記メッシュが位置するように構成した外断熱壁材、又は床材等の建築下地材の製造方法である。
【０００７】
請求項２の発明は、左官職人による施工を要さず、素人でも施工できる建築下地材の提供と、殊に目地部の施工が簡便で、手間、熟練と時間を要せず行える建築下地材の提供とを意図する。またこの目地部からの亀裂、雨水の浸入、断熱効果の拡充が図れる建築下地材の提供と、外壁を、確実、精度よく製造すること、又は簡便に製造すること、等を意図する。
【０００８】
請求項２は、請求項１に記載された外断熱壁材、又は床材等の建築下地材であって、
この建築下地材の薄地のモルタル層の上面に設けられたメッシュの周辺部は、前記発泡プラスチック、軽量ボード等の断熱ボードの周辺部より内側に位置し、この両周辺部間に前記薄地のモルタル層を露出して設け、このメッシュと薄地のモルタル層により当該建築下地材の表面が形成されている構成とした外断熱壁材、又は床材等の建築下地材である。
【０００９】
請求項３の発明は、請求項１の目的を達成するに最適な建築下地材の提供と、殊に目地部の施工が簡便で、手間、熟練と時間を要せず行える建築下地材の提供とを意図する。また曲面に変形可能な可撓性を有しており、窓回り、玄関回りの屋根等に最適な建築下地材の提供と、この曲げ施工が容易な建築下地材の提供とを意図する。
【００１０】
請求項３は、請求項１に記載された薄地のモルタル層は、樹脂モルタル材料で構成した外断熱壁材、又は床材等の建築下地材である。
【００１１】
請求項４の発明は、請求項１の目的を達成するに最適な建築下地材の提供と、殊に目地部の施工が簡便で、手間、熟練と時間を要せず行える建築下地材の提供とを意図する。また曲面に変形可能な可撓性を有しており、亀裂の発生が少なく、また窓回り、玄関回りの屋根等に最適な建築下地材の提供と、この曲げ施工が容易な建築下地材の提供とを意図する。
【００１２】
請求項４は、請求項１に記載されたメッシュは、グラスファイバー材料で構成した外断熱壁材、又は床材等の建築下地材である。
【００１３】
請求項５の発明は、左官職人による施工をなくし、素人でも施工できる外壁の構築工法の提供と、殊に目地部の施工が簡便で、手間、熟練と時間を要せず行うこと、等を意図する。またこの目地部からの亀裂、雨水の浸入、断熱効果の拡充が図れる外壁の構築工法を提供する。
【００１４】
請求項５は、発泡プラスチック、軽量ボード等の断熱ボードと、この断熱ボードに設けた薄地のモルタル層と、この薄地のモルタル層に設けたメッシュとでなる建築下地材において、
このメッシュの周辺部は、この断熱ボードの周辺部より内側に位置し、この両周辺部間に前記薄地のモルタル層を露出して設け、このメッシュと薄地のモルタル層により当該建築下地材の表面を形成した構成であって、
この構成の建築下地材を、建屋の壁面に隣接して設け、この際、当該隣接した建築下地材の目地に、目地用メッシュを設け、少なくとも前記露出した薄地のモルタル層を隠蔽し、前記建屋の全体をメッシュで隠蔽し、
この隠蔽した建屋のメッシュの上に、上塗り塗装して、当該建屋の外壁を構築する構成とした外壁の構築工法である。
【００１５】
請求項６の発明は、請求項５の目的を達成するに最適な建築下地材の提供と、殊に目地部の施工が簡便で、手間、熟練と時間を要せず行える外壁の構築工法の提供とを意図する。また曲面に変形可能な可撓性を有しており、亀裂の発生が少なく、また窓回り、玄関回りの屋根等に最適な外壁の構築工法の提供と、この曲げ施工が容易な外壁の構築工法の提供とを意図する。
【００１６】
請求項６は、請求項５に記載の上塗り塗装用の上塗り材は、接着性、弾性に優れたポリマーベースの塗材とする構成とした外壁の構築工法である。
【００１７】
請求項７の発明は、左官職人による施工をなくし、素人でも施工できる外壁の構築工法の提供と、殊に目地部の施工が簡便で、手間、熟練と時間を要せず行うこと、等を意図する。またこの目地部からの亀裂、雨水の浸入、断熱効果の拡充が図れる外壁の構築工法を提供する。さらに建築下地材は、ベランダ、ルーフバルコニー等の屋外床の下地材として簡易に施工し、その上にＦＲＰ等の表面部材を設け、衝撃、防水機能を備えた建築物の構築と、その簡易な構築工法を提供する。
【００１８】
請求項７は、発泡プラスチック、軽量ボード等の断熱ボードと、この断熱ボードに設けた薄地のモルタル層と、この薄地のモルタル層に設けたメッシュとでなる建築下地材において、
このメッシュの周辺部は、この断熱ボードの周辺部より内側に位置し、この両周辺部間に前記薄地のモルタル層を露出して設け、このメッシュと薄地のモルタル層により当該建築下地材の表面を形成した構成であって、
この構成の建築下地材を、建屋の屋外床面に隣接して設け、この際、当該隣接した建築下地材の目地に、コーキング材を充填し、必要により目地用メッシュを設け、少なくとも前記露出した薄地のモルタル層を隠蔽し、
この屋外床のメッシュの上に、表面部材を施工する構成とした屋外床面の構築工法である。
【００１９】
【発明の実施の形態】
以下、本発明の実施例を説明する。
【００２０】
図１は建築下地材の要部を示した一部欠截の斜視図、図２は建築下地材の側面図、図３（イ）〜（ト）は建築下地材を製造する過程を示す模式図、図４は建築下地材を折り曲げた状態の側面図、図５は施工状態を説明する俯瞰模式図、図６は建物の玄関への利用の一例を示す縮尺模式図、また図７はルーフバルコニーへの利用の一例を示す縮尺模式図、図８はベランダへの利用の一例を示す縮尺模式図、をそれぞれ示す。さらに図９は外断熱構造の建物とした場合の使用例における結露の発生を示す図表、図１０は内断熱構造の建物とした場合の使用例における結露の発生を示す図表をそれぞれ示す。
１）  図１の如く、本発明の建築下地材Ａは、発泡プラスチック（発泡倍率４０％〜６０％程度とし、軽量化、強度性、肉厚等と、使用用途等を考慮して、決定する）  、軽量ボード等の断熱ボード１と、この断熱ボード１の上面には樹脂モルタル材料、接着性モルタル材料等の薄地のモルタル層２を設け、この薄地のモルタル層２に添着するようにグラスファイバーメッシュ３が設けられる。そして、このメッシュ３の周辺部３００は、この断熱ボード１の周辺部１００より内側に位置し、この両周辺部間に薄地のモルタル層２を露出して露出薄地のモルタル層２００を設ける。これによりメッシュ３と薄地のモルタル層２及び露出薄地のモルタル層２００により、当該建築下地材Ａの表面Ａ−１が形成されている。
２）  この建築下地材Ａを採用して外壁を構築する一例を説明すると、外壁（内壁、床面等）に通気層を備えた（透水性を備えた）防水シート（図示せず）を取付け、断熱ボード１（湿度を通す性質「透湿性」、熱伝導率、曲げ強さ、難燃性等に優れたボード、例えば、ビーズ法ポリスチレンフォーム４号とする）と、薄地のモルタル層２と、メッシュ３とでなる建築下地材Ａを取付ける。この取付け方法は、釘止め、接着等の方法を採用する。このメッシュ３の周辺部３００には、露出薄地のモルタル層２００が形成された状態で、当該建築下地材Ａは、外壁面に取付けられる。この取付けにより、外壁の表面Ａ−１は、メッシュ３と、薄地のモルタル層２と、露出薄地のモルタル層２００とで形成される。そして、この建築下地材Ａには、同様に次の建築下地材Ａ’が隣接するように取付けられる。この建築下地材Ａと建築下地材Ａ’との間には、隣接隙間、即ち、目地Ｂができる。この目地Ｂを確実に塞ぎ、また外壁の脆化（劣化）回避するためにモルタル等を充填する必要と、隣接するメッシュ３、３’間を確実に連繋し、かつ外壁の脆化回避を図るために上塗り材４を塗着する必要があるので、この目地Ｂの隙間Ｃと、隣接する建築下地材Ａの露出薄地のモルタル層２００と、建築下地材Ａ’の露出薄地のモルタル層２００’とを隠蔽するように、目地用メッシュ３”を張付ける（張装する）。その後、このメッシュ３と目地用メッシュ３”との上面にモルタル系、樹脂系の塗料（上塗り材）を塗着する。この際に、メッシュ３と目地用メッシュ３”が露出することから、当該上塗り材４が確実、（薄くても）剥離することなく塗着される。このメッシュ３と目地用メッシュ３”で建物Ｆを囲繞することで、壁全体等のヒビ割れ防止、またこの薄地のモルタル層２と上塗り材４等の衝撃に対する剥離防止等に役立つ利点がある。この上塗り材４は、接着性、弾性に優れたポリマーベースの塗料であれば限定されないので、従来のように特殊な塗料を必要とせず有益である。また本発明は、ホルムアルデヒトの発生率も少なく健康に悪影響を与えないこと、ガン発生率も少ないこと、等有益な塗料である。またこの建築下地材Ａ、建築下地材Ａ’とを使用することで、養生時間の短縮化に寄与できる。そして、本発明の建築下地材Ａ、建築下地材Ａ’は、図６に示すように、建物Ｆの玄関に取付けられる曲面箇所でも、使用できる特性を備えている。この特性は、建築下地材Ａを構成する断熱ボード１の発泡倍率及び／又は断熱ボード１・薄地のモルタル層２の厚み（略４〜５ｍｍ程度）が微妙に影響する。本発明は、この条件をクリアーしており、図４の状態を確保できる。この特性を利用することで、直線形状は勿論、曲面形状でも可能となり、（構築物、内壁、置物、玩具、物等）の分野への適用が可能となり、形状、断熱、又は衝撃等に優れたが構築できる特徴がある。
【００２１】
尚、図７は建物ＤのルーフバルコニーＥへの利用の一例を示す縮尺模式図であり、ルーフバルコニー用の床構成面Ｅ１に建築下地材Ａを順次施工し、必要により、図示しないが、目地にコーキング材を充填及び／又は目地用メッシュを施工する。そして、この建築下地材Ａの上にＦＲＰ、各種のモルタル等の表面部材Ｆを順次施工し、衝撃、防水機能を備えたルーフバルコニーＥを構築する。また図８はベランダＧへの利用の一例を示す縮尺模式図であるが、前述の例に準ずる。そして、図９の例では、建築下地材Ａ、建築下地材Ａ’を使用して、外断熱構造の建物Ｄとした場合の使用例においては結露の発生も皆無であり、快適な住環境が確保できる。また図１０の内断熱構造の建物（図示せず）とした場合の使用例においては結露の発生が生じ、問題となる可能性がある。これらの結露、温度分布、壁厚等の詳細は、図示されている。この図９、図１０を参考の一例として提出する。
３）  次に、図３（イ）〜（ト）に示した建築下地材Ａと、建築下地材Ａ’の製造方法を説明すると、断熱ボード１と、この断熱ボード１の上に樹脂モルタル材料、接着性モルタル材料等の下地モルタル０２を、ロール又は手塗り等利用して添加する。このロール手段の例では、スピード化、自動化と、省力化、低コスト化、又は正確性等が期待できる。また手塗り手段では、設備費の低廉化、簡略化等が期待できる。この下地モルタル０２の上に、ロボット又は手置き等の手段を利用してメッシュ３を添着する。このロボット手段の例では、スピード化、自動化と、省力化、低コスト化、又は正確性等が期待できる。また手置き手段では、設備費の低廉化、簡略化等が期待できる。そして、このメッシュ３を添着する際に、メッシュ３の周辺部３００は、この断熱ボード１の周辺部１００より内側に位置した状態で設ける。この方法により、例えば、後述するスクレパーによる余分のモルタルの除去と、スクレパーの破損等の事故回避、又は施工時の手間、煩雑化等の回避に役立つこと、或いは搬送時の手間、煩雑化等の回避に役立つこと、等の利点がある。このメッシュ３の上に樹脂モルタル材料、接着性モルタル材料等の表面モルタル００２（上塗モルタル）を、前述と同様な方法で添加し、この断熱ボード１、下地モルタル０２、及びメッシュ３、表面モルタル００２でなる四層構造の建築下地素材０Ａが成形される。この建築下地素材０Ａを、圧延ロールＨ、Ｈ間を通過させる。そして、この圧延ロールＨ、Ｈ間を通過させる前にスクレパーＩ（排除手段の一例）を利用して予め余分の表面モルタル０００２を除くことが好ましいが一例である。その後、この圧延ロールＨ、Ｈ間を通過する過程で、略１５〜３５ｋｇ程度の圧力により加圧し（圧縮し）、前記下地モルタル０２、又は表面モルタル００２を所定の厚みに圧縮し、薄地のモルタル層２とするとともに（余分の表面モルタル０００２−１を排除する）、建築下地素材０Ａの両側面よりはみ出しモルタル００００２を、スクレパーＪ、Ｊを利用して取り除く。この作業により、薄地のモルタル層２が成形されるとともに、この薄地のモルタル層２の上面にメッシュ３が位置する構成となった建築下地材Ａが製造できる。そして、この建築下地材Ａの表面は、メッシュ３と、薄地のモルタル層２とで構成される。
【００２２】
尚、図示しないが室内の床材、壁、間仕切り等として、この建築下地材Ａを施工し、その上に畳、床構成材、カーペット等の床構成材、又は壁材等を施工する。この例では、断熱効果、衝撃・音等の吸収機能と、転倒による怪我、損傷等の回避等に役立つこと、又は物の損傷等の回避が図れること、等の実益がある。
【００２３】
【発明の効果】
請求項１の発明は、発泡プラスチック、軽量ボード等の断熱ボードと、断熱ボードの上に下地モルタルを添加した後、断熱ボードの周辺部より内側に位置した合成樹脂、金網等で構成するメッシュを添着し、メッシュの上に表面モルタルを添加し、断熱ボード、下地モルタル、及びメッシュ、表面モルタルでなる四層構造の建築下地素材を、圧延ロールを介して圧縮し、下地モルタル、又は表面モルタルを所定の厚みに圧縮し、薄地のモルタル層とするとともに、薄地のモルタル層の上面にメッシュが位置するように構成した外断熱壁材、又は床材等の建築下地材の製造方法である。
【００２４】
従って、左官職人による施工を要さず、素人でも施工できる建築下地材の製造方法を提供できること、殊に目地部の施工が簡便で、手間、熟練と時間を要せず行える建築下地材の製造方法を提供できること、等の特徴がある。またこの目地部からの亀裂、雨水の浸入、断熱効果の拡充が図れる建築下地材を、確実、また精度よく、又は簡便に製造できる建築下地材の製造方法を提供できる実益があり、又は衝撃に役立つこと、及び、物に設置後においては、衝撃に役立つ物を製造できる建築下地材を提供できる特徴もある。さらにベランダ、ルーフバルコニー等の屋外床の下地材として役立つ建築下地材を提供できる実益がある。
【００２５】
請求項２の発明は、請求項１に記載された外断熱壁材、又は床材等の建築下地材であって、建築下地材の薄地のモルタル層の上面に設けられたメッシュの周辺部は、発泡プラスチック、軽量ボード等の断熱ボードの周辺部より内側に位置し、両周辺部間に薄地のモルタル層を露出して設け、メッシュと薄地のモルタル層により建築下地材の表面が形成されている構成とした外断熱壁材、又は床材等の建築下地材である。
【００２６】
従って、左官職人による施工を要さず、素人でも施工できる建築下地材を提供できること、殊に目地部の施工が簡便で、手間、熟練と時間を要せず行える建築下地材を提供できること、等の特徴がある。またこの目地部からの亀裂、雨水の浸入、断熱効果の拡充が図れる建築下地材を提供し、また外壁を、確実、精度よく製造できること、又は簡便に製造できること、等の実益がある。
【００２７】
請求項３の発明は、請求項１に記載された薄地のモルタル層は、樹脂モルタル材料で構成した外断熱壁材、又は床材等の建築下地材である。
【００２８】
従って、請求項１の目的を達成するに最適な建築下地材を提供できること、殊に目地部の施工が簡便で、手間、熟練と時間を要せず行える建築下地材を提供できること、等特徴がある。また曲面に変形可能な可撓性を有しており、窓回り、玄関回りの屋根等に最適な建築下地材を提供できること、この曲げ施工が容易な建築下地材を提供できること、等の実益がある。
請求項４の発明は、請求項１に記載されたメッシュは、グラスファイバー材料で構成した外断熱壁材、又は床材等の建築下地材である。
【００２９】
従って、請求項１の目的を達成するに最適な建築下地材を提供できること、殊に目地部の施工が簡便で、手間、熟練と時間を要せず行える建築下地材を提供できること、等特徴がある。また曲面に変形可能な可撓性を有しており、窓回り、玄関回りの屋根等に最適な建築下地材を提供できること、この曲げ施工が容易な建築下地材を提供できること、等の実益がある。
【００３０】
請求項５の発明は、発泡プラスチック、軽量ボード等の断熱ボードと、断熱ボードに設けた薄地のモルタル層と、この薄地のモルタル層に設けたメッシュとでなる建築下地材において、メッシュの周辺部は、断熱ボードの周辺部より内側に位置し、両周辺部間に前記薄地のモルタル層を露出して設け、メッシュと薄地のモルタル層により建築下地材の表面を形成した構成であって、構成の建築下地材を、建屋の壁面に隣接して設け、この際、隣接した建築下地材の目地に、目地用メッシュを設け、少なくとも露出した薄地のモルタル層を隠蔽し、建屋の全体をメッシュで隠蔽し、隠蔽した建屋のメッシュの上に、上塗り塗装して、建屋の外壁を構築する構成とした外壁の構築工法である。
【００３１】
従って、左官職人による施工をなくし、素人でも施工できる外壁の構築工法を提供できること、殊に目地部の施工が簡便で、手間、熟練と時間を要せず行えること、等の特徴がある。またこの目地部からの亀裂、雨水の浸入、断熱効果の拡充が図れる外壁の構築工法を提供できる実益がある。
【００３２】
請求項６の発明は、請求項５に記載の上塗り塗装用の上塗り材は、接着性、弾性に優れたポリマーベースの塗材とする構成とした外壁の構築工法である。
【００３３】
従って、請求項５の目的を達成するに最適な建築下地材を提供できること、殊に目地部の施工が簡便で、手間、熟練と時間を要せず行える外壁の構築工法を提供できること、等の特徴がある。また曲面に変形可能な可撓性を有しており、窓回り、玄関回りの屋根等に最適な外壁の構築工法を提供できること、この曲げ施工が容易な外壁の構築工法を提供できること、等の実益がある。
【００３４】
請求項７の発明は、発泡プラスチック、軽量ボード等の断熱ボードと、断熱ボードに設けた薄地のモルタル層と、薄地のモルタル層に設けたメッシュとでなる建築下地材において、メッシュの周辺部は、断熱ボードの周辺部より内側に位置し、両周辺部間に前記薄地のモルタル層を露出して設け、メッシュと薄地のモルタル層により当該建築下地材の表面を形成した構成であって、建築下地材を、建屋の屋外床面に隣接して設け、隣接した建築下地材の目地に、コーキング材を充填し、必要により目地用メッシュを設け、少なくとも露出した薄地のモルタル層を隠蔽し、屋外床のメッシュの上に、表面部材を施工する構成とした屋外床面の構築工法である。
【００３５】
従って、左官職人による施工をなくし、素人でも施工できる外壁の構築工法を提供できること、殊に目地部の施工が簡便で、手間、熟練と時間を要せず行えること、等の特徴がある。またこの目地部からの亀裂、雨水の浸入、断熱効果の拡充が図れる外壁の構築工法を提供できる実益がある。さらに建築下地材は、ベランダ、ルーフバルコニー等の屋外床の下地材として簡易に施工し、その上にＦＲＰ等の表面部材を設け、衝撃、防水機能を備えた建築物と、その簡易な構築工法を提供できる実益がある。
【図面の簡単な説明】
【図１】図１は建築下地材の要部を示した一部欠截の斜視図
【図２】図２は建築下地材の側面図
【図３】図３（イ）〜（ト）は建築下地材を製造する過程を示す模式図であり、（イ）は断熱      ボードを示す、（ロ）は断熱ボードと下塗モルタルを示す、（ハ）は断熱ボードと下塗モ      ルタル、及びメッシュを示す、（ニ）は断熱ボードと下塗モルタル、及びメッシュ並びに表面モ      ルタルを示す、（ホ）は断熱ボード、下地モルタル、及びメッシュ、表面モルタルでなる四層構造の建築下地素材を、圧延ロールを介して圧縮する過程を示す、（ヘ）は圧延      ロールによる余分のモルタルを排除する過程を示す、（ト）は圧延ロールによるはみ出しモルタルを排除する過程を示す
【図４】図４は建築下地材を折り曲げた状態の側面図
【図５】図５は施工状態を説明する俯瞰模式図
【図６】図６はへの利用の一例を示す縮尺模式図
【図７】図７はルーフバルコニーへの利用の一例を示す縮尺模式図
【図８】図８はベランダへの利用の一例を示す縮尺模式図
【図９】外断熱構造の建物とした場合の使用例における結露の発生を示す図表
【図１０】内断熱構造の建物とした場合の使用例における結露の発生を示す図表
【符号の説明】
１          断熱ボード
１００        周辺部
２          薄地のモルタル層
２００        露出薄地のモルタル層
２００’        出薄地のモルタル層
０２          下地モルタル
００２        表面モルタル
０００２        余分の表面モルタル
０００２−１      余分の表面モルタル
００００２        はみ出しモルタル
３                メッシュ
３’          メッシュ
３”          目地用メッシュ
３００          周辺部
４          上塗り材
Ａ          建築下地材
Ａ−１          表面
Ａ’          建築下地材
０Ａ          建築下地素材
Ｂ            目地
Ｃ            隙間
Ｄ            建物
Ｅ          ルーフバルコニー
Ｅ１          床構成面
Ｆ            表面部材
Ｇ            ベランダ
Ｈ            圧延ロール
Ｉ            スクレパー
Ｊ            スクレパー
【図１】
0003622090.tif 000002
【図２】
0003622090.tif 000003
【図３】
0003622090.tif 000004
【図４】
0003622090.tif 000005
【図５】
0003622090.tif 000006
【図６】
0003622090.tif 000007
【図７】
0003622090.tif 000008
【図８】
0003622090.tif 000009
【図９】
0003622090.tif 000010
【図１０】
0003622090.tif 000011